(57)【要約】【課題】１次側圧着部位のストッパ機能及び回転防止機能を発揮しながら水道用メータを芯出し状態で圧着固定でき、ストッパ機能及び回転防止機能を発揮する機構や一次側の支持機構全体をベース体から着脱することなく、圧着部位のみを取り外してシール用Ｏリングを交換できるメータユニットを提供する。【解決手段】ベース体２の長手方向両側に水道用メータ８を圧着固定する上流側の第一支持機構６と下流側の第二支持機構７とを設け、第一支持機構６にメータ８の一端部８ａを圧着固定するスライド部材２０をメータ圧着方向に沿って進退自在に設けた。スライド部材２０がメータ装着前の状態でメータ８の圧着固定位置を越えて前進操作されることを阻止する位置にこのスライド部材２０に係止して回転を防止するピン１５を配置し、このピン１５の係止を外したときにスライド部材２０を第一支持機構６から着脱可能に設けた。【選択図】図２
2015004178.tif 000002
【特許請求の範囲】
【請求項１】
ベース体の長手方向両側に水道用メータを圧着固定する上流側の第一支持機構と下流側の第二支持機構とを設け、前記第一支持機構にメータの一端部を圧着固定するスライド部材をメータ圧着方向に沿って進退自在に設け、前記スライド部材がメータ装着前の状態でメータの圧着固定位置を越えて前進操作されることを阻止する位置にこのスライド部材に係止して回転を防止するピンを配置し、このピンの係止を外したときに前記スライド部材を前記第一支持機構から着脱可能に設けたことを特徴とするメータユニット。
【請求項２】
前記スライド部材の外端部にメータ端部を支受けする支受部を設け、この支受部に前記ピンが係止して前記スライド部材の回転を阻止する回転防止溝を形成し、この回転防止溝は、前記スライド部材が前進してメータ圧着位置を越える移動量よりも短く設けられている請求項１に記載のメータユニット。
【請求項３】
前記ピンを複数の軸体により伸縮自在に設け、このピンを短縮して前記スライド部材への係止を外すようにした請求項１又は２に記載のメータユニット。
【請求項４】
前記第一支持機構は、前記保持部に設けた円筒部材と、この円筒部材の内周面に摺動自在に設けられた前記スライド部材と、前記円筒部材の外周に螺合させた回転部材とを有し、前記スライド部材の外端部に設けたフランジ部と操作ハンドルとを有する前記回転部材の外端部とを止め輪を介して掛止し、この回転部材の回転操作で前記スライド部材を進退自在に設けた請求項１乃至３の何れか１項に記載のメータユニット。
【発明の詳細な説明】
【技術分野】
【０００１】
本発明は、例えば、水道の使用量を計量するための水道用メータ取付け用のメータユニットであって、特に、圧着固定式のメータユニットの１次側の機構部分に関する。
【背景技術】
【０００２】
近年、水道用メータ用のメータユニットとして、水道用メータを芯出し状態で圧着して固定する圧着固定式のメータユニットが利用されることが多い。圧着固定式メータユニットとしては、スライド側の圧着面を非回転状態で圧着固定するものがあり、このメータユニットは、圧着時に圧着面（シール面）にねじれが加わることが無いため、圧着面が回転しながら固定するものに比較してシール面の消耗や劣化が抑えられ、長期に渡ってシール性を確保することが可能になっている。
【０００３】
この種のメータユニットとして、例えば、特許文献１の水道用メータユニットが開示されている。このメータユニットにおいては、操作ハンドルの回動により圧着方向にスライドするスライド部材が設けられ、このスライド部材にはガイド溝を有するメータ本体受け用の受部が形成されている。メータユニットのベースにはガイドピンが固定され、このガイドピンがガイド溝に係合することで、操作ハンドルを操作したときにスライド部材が回り止めされる回転防止機能と、水平方向に所定量のみスライドできるストッパ機構とが発揮されるようになっている。ガイドピンは、別体のねじや直接螺着されてベースに固定されている。
【０００４】
ところで、水道用メータは８年ごとの交換が義務付けられ、この水道用メータと同様に、メータユニットの圧着部位の内部に装着されたＯリングについてもメンテナンス時等に交換が必要になっている。その際、作業者は各戸に設置された水道用メータの交換時に、圧着部位を継手本体から外してＯリングを交換する必要が生じる。
【先行技術文献】
【特許文献】
【０００５】
【特許文献１】特開２００８−１０１３８６号公報
【発明の概要】
【発明が解決しようとする課題】
【０００６】
しかしながら、特許文献１の水道用メータユニットのように、ガイドピンが別体のねじや直接螺着されてベースに固定されている場合、圧着部位であるスライド部材をベースから取外す際に、ガイドピンのねじを取り外したり螺着を外してこのガイドピンを取り外すか、或はスライド部材が装着された支持部ごとベースから取外し、この支持部からスライド部材を外してスライド部材に装着されたＯリングを交換する必要がある。
【０００７】
本発明は、上記の課題点を解決するために開発したものであり、その目的とするところは、１次側圧着部位のストッパ機能及び回転防止機能を発揮しながら水道用メータを芯出し状態で圧着固定でき、ストッパ機能及び回転防止機能を発揮する機構や一次側の支持機構全体をベース体から着脱することなく、圧着部位のみを取り外してシール用Ｏリングを交換できるメータユニットを提供することにある。
【課題を解決するための手段】
【０００８】
上記目的を達成するため、請求項１に係る発明は、ベース体の長手方向両側に水道用メータを圧着固定する上流側の第一支持機構と下流側の第二支持機構とを設け、第一支持機構にメータの一端部を圧着固定するスライド部材をメータ圧着方向に沿って進退自在に設け、スライド部材がメータ装着前の状態でメータの圧着固定位置を越えて前進操作されることを阻止する位置にこのスライド部材に係止して回転を防止するピンを配置し、このピンの係止を外したときにスライド部材を第一支持機構から着脱可能に設けたメータユニットである。
【０００９】
請求項２に係る発明は、スライド部材の外端部にメータ端部を支受けする支受部を設け、この支受部にピンが係止してスライド部材の回転を阻止する回転防止溝を形成し、この回転防止溝は、スライド部材が前進してメータ圧着位置を越える移動量よりも短く設けられているメータユニットである。
【００１０】
請求項３に係る発明は、ピンを複数の軸体により伸縮自在に設け、このピンを短縮してスライド部材への係止を外すようにしたメータユニットである。
【００１１】
請求項４に係る発明は、第一支持機構は、保持部に設けた円筒部材と、この円筒部材の内周面に摺動自在に設けられたスライド部材と、円筒部材の外周に螺合させた回転部材とを有し、スライド部材の外端部に設けたフランジ部と操作ハンドルとを有する回転部材の外端部とを止め輪を介して掛止し、この回転部材の回転操作でスライド部材を進退自在に設けたメータユニットである。
【発明の効果】
【００１２】
請求項１に係る発明によると、１次側圧着部材であるスライド部材で芯出ししながら水道用メータを圧着固定でき、ピンによりスライド部材のメータの圧着位置を越えた前進を防いでこのスライド部材を抜け出し防止するストッパ機能を発揮しつつ、ピンでスライド部材の回転を防止して支受けされた水道用メータの回転を防ぐことができる。ピンは、スライド部材に係止して回転を防止するか又は係止を解除可能に配置されており、このピンの係止を解除したときにスライド部材を第一支持機構から着脱可能にできるため、ベース体から一次側の支持機構全体を着脱することなくスライド部材のみを取り外し、このスライド部材に装着されたシール用Ｏリングを交換できる。
【００１３】
請求項２に係る発明によると、ピンが支受部に形成した回転防止溝に係止することでスライド部材の回転を阻止でき、回転防止溝がスライド部材の前進時のメータ圧着位置を越えようとするときの移動量よりも短いことで、前進方向においても回転防止溝にピンが係止してスライド部材の第一支持機構からの抜け出しを確実に防止できる。
【００１４】
請求項３に係る発明によると、ピンをスライドさせることで簡単に伸縮することができ、このピンを短縮してスライド部材への係止を外すようにしたことでスライド部材の前進方向の規制を解除でき、スライド部材を抜き出すことによりＯリングを交換できる。ピンは、伸長時に自重で縮むことがないため、スライド部材のストッパ機能と回転防止機能とを確実に維持する。ピンは単純な内部構造であるため、製作も容易となる。
【００１５】
請求項４に係る発明によると、手動の圧着式の接続方式により水道用メータを着脱でき、水道用メータを支受部に載置した状態で操作ハンドルにより回転部材を回転させるだけで、スライド部材を進出させてピンによるストッパ機能と回転防止機能とを発揮させながら水道用メータを装着できる。
【図面の簡単な説明】
【００１６】
【図１】本発明におけるメータユニットの一実施形態を示す断面図である。
【図２】図１のメータユニットの一部拡大断面図である。
【図３】図２のピンを縮めた状態を示す一部拡大断面図である。
【図４】ピンの分解図である。
【図５】ピンの中央断面図である。
【図６】図５のピンが縮んだ状態を示す中央断面図である。
【図７】ピンの他例を示す一部拡大断面図である。
【発明を実施するための形態】
【００１７】
本発明におけるメータユニットの実施形態を図面に基づいて説明する。図１においては、本発明のメータユニットの一実施形態を示しており、図２、図３には、図１におけるメータユニット本体の第一支持機構付近の拡大断面図を示している。
【００１８】
図において、メータユニット本体１はベース体２を有し、このベース体２は、例えばダクタイル鋳鉄製からなっている。ベース体２は、長尺状で断面略台形状の基部３を有し、この基部３の長手方向両側には保持部５、５が立設され、この保持部５には上流側の第一支持機構６、下流側の第二支持機構７がそれぞれ設けられ、これらの間に水道用メータ８を圧着固定可能になっている。保持部５は、基部３から緩やかな曲線を介して起立するように形成され、この保持部５にそれぞれ設けられた貫通穴９、９に第一支持機構６、第二支持機構７が取付けられる。
【００１９】
ベース体２の第一支持機構６側の上面側には突起部１０が形成され、この突起部１０には有底穴からなる取付孔１１が穿孔されている。取付孔１１は、例えば穴径φ４ｍｍ程度に設けられ、この取付孔１１には後述するピン１５を取付けている。ベース体２の両端側には切欠き部１６、１６が形成され、ベース体２はこの切欠き部１６を介して図示しないボルト等で床面や壁面に固定される。
【００２０】
第一支持機構６は、保持部５に設けられた円筒部材１８と、この円筒部材１８の内周面１８ａに摺動自在に設けられたスライド部材２０と、円筒部材１８の外周に螺合させた回転部材２１とを有している。
【００２１】
円筒部材１８において、スライド部材２０を装着する側の外周には雄ネジ部２２が形成されている。この雄ネジ部２２の他方側には拡径部２３が設けられ、雄ネジ部２２側から一次側の貫通穴９の外側（図２における保持部５の左側）から挿入して拡径部２３を係止することで、円筒部材１８が保持部５の所定位置に位置決めされる。この状態でナット２４を内側（図２における保持部５の右側）から雄ネジ部２２に螺合することで円筒部材１８が保持部５に固定される。円筒部材１８には拡径部２３に続けてエルボ部２５が設けられ、図１に示すように、このエルボ部２５の一次側にはユニオンナット２６により止水栓２８が接続される。
【００２２】
図２、図３において、スライド部材２０は、筒状部３０とこの筒状部３０の外端部側に設けられたフランジ部３１とを有している。筒状部３０は、外周面にシール用Ｏリング３２が装着された状態で円筒部材１８の内周面１８ａに装着されている。スライド部材２０は、円筒部材１８に対して筒状部３０が摺動することでメータ圧着方向に沿って進退自在に設けられ、フランジ部３１側で水道用メータ８を圧着可能になっている。フランジ部３１の外端側には水道用メータ８を密着固定可能な挟持面３３が形成され、この挟持面３３にはシールリング３４が装着されている。
【００２３】
フランジ部３１の外端部である挟持面３３からは円弧状の支受部３５が水道用メータ８側に突出形成され、この支受部３５にメータ８の一端部である一次側端部８ａを載置して支受可能になっている。
支受部３５には、ベース体２に取付けられたピン１５が係止可能な回転防止溝４０が直線状に切欠き形成され、この回転防止溝４０にピン１５が係止することにより、スライド部材２０の回転を防止可能になっている。
【００２４】
図２、図３において、回転防止溝４０は、メータ装着前の状態でスライド部材２０がメータ圧着位置を越えて前進操作されることを阻止する長さＬに設けられ、この回転防止溝４０の端部側にピン１５が係止して、スライド部材２０のメータ８の圧着固定位置を越える移動量の前進操作が阻止される。この場合、メータ装着前の状態でスライド部材２０がメータ８の圧着固定位置を越えて前進操作されるときの移動量とは、スライド部材２０が円筒部材１８から抜け出るまでの移動量を意味している。スライド部材２０のメータ８の圧着位置とは、少なくともメータ８の最小面間の位置であり、具体的にはメータ８の最小面間の位置よりもややメータ８に密着する位置である。
なお、メータ８の最小面間寸法は、各自治体の仕様によって若干異なる。
【００２５】
回転部材２１はスライド部材２０を進退させるための操作部として設けられ、外周側には把持用の操作ハンドル４１が放射状に設けられている。回転部材２１の内周には、円筒部材１８の雄ネジ部２２と螺合する雌ネジ部４２が設けられ、回転部材２１を円筒部材１８に螺合することで、回転部材２１を回転操作したときにメータ圧着方向に進退可能になるように設けられている。図２、図３に示すように、回転部材２１のスライド部材２０取付側（メータ８圧着側）には取付凹部４３が設けられ、この取付凹部４３にスライド部材２０のフランジ部３１の内端面側が当接する当接面４５が設けられている。
【００２６】
前記のスライド部材２０を取付ける場合、先ず、フランジ部３１の内端面側が円筒部材１８に装着された回転部材２１の当接面４５に当接するように、筒状部３０が円筒部材１８に挿入される。この状態で止め輪４６によりフランジ部３１が取付凹部４３内に回転可能に掛止され、これによりスライド部材２０が回転部材２１に相対回転可能な状態で、回転部材２１と共に円筒部材１８に対して摺動自在に設けられる。この取付構造によって、スライド部材２０は、回転部材２１の回転操作でメータ圧着方向に進退自在に設けられる。
【００２７】
第一支持機構６は、上記の構造によって回転部材２１を回動操作してスライド部材２０を円筒部材１８に対して進退して水道用メータの１次側を圧着又は圧着解除でき、圧着解除時に水道用メータ８を着脱可能になっている。
【００２８】
図４〜図６において、ピン１５は、軸体５０、５１、板ばね５２、飾り玉５３を有している。
軸体５０、５１は、ステンレスなどの強度を有する材料により形成され、本実施形態のピン１５は、一つの管状の軸体５０と、この軸体５０に進退自在に挿入可能なやや縮径した一つの円柱状の軸体５１とを有している。軸体５１の軸体５０への挿入側には環状の溝状凹部５５が設けられ、この溝状凹部５５の他端側にはめねじ５６が設けられている。
【００２９】
板ばね５２は、りん青銅などのばね性に優れた材料により円筒状に加工され、径方向に適度の弾性を有するように設けられる。この板ばね５２は溝状凹部５５に装着され、板ばね５２装着後の軸体５１を軸体５０に挿入すると、板ばね５２が軸体５０の内周壁に弾接して軸体５１が軸体５０に対して適度の抵抗を発揮しながら摺動可能となり、軸体５１を適宜の位置に摺動させたときに、板ばね５２の弾性によりその位置が保持される。図５、図６に示すように、軸体５１の軸体５０への挿入後には、軸体５０の軸体５１挿入側がかしめ加工により縮径され、軸体５１が軸体５０に対して抜け止めされる。そのため、ピン１５は、これら複数の軸体５０、５１によりアンテナ構造に設けられ、伸縮自在になっている。
【００３０】
飾り玉５３は、快削銅などの適宜の成形加工が容易な材料で形成され、めねじ５６に螺合するおねじ５７、軸体５０、５１よりも拡径した摘み部５８が設けられている。飾り玉５３は、おねじ５７とめねじ５６とを螺合させて軸体５１に取付けられ、摘み部５８を摘みながら操作することで、ピン１５を容易に伸縮できるようになっている。
軸体５０、５１、板ばね５２、飾り玉５３は、それぞれ上記以外の材料で設けられていてもよく、スライド部材２０の前進操作を阻止し、回転を防止可能な機能を有していれば各種の材料で形成可能である。
【００３１】
ピン１５は、前記した取付孔１１に取付けられ、取付後にはベース体２の基部３から鉛直方向に突設した状態となる。この場合、ピン１５は回転防止溝４０に係止する位置に配置され、図５の状態に伸長されたときには先端側（飾り玉５３及び軸体５１付近）が回転防止溝４０に係止できる長さになっている。このようにピン１５が回転防止溝４０に係止することで、スライド部材２０の回転が防がれ、このスライド部材２０で圧着固定される水道用メータ８の回転も防がれる。
【００３２】
本実施形態におけるピン１５においては、例えば、軸体５０の外径φ４ｍｍ、軸体５１の外径φ３ｍｍ、飾り玉５３の摘み部５８の外径φ４ｍｍ及び厚さ２ｍｍであり、ピン１５を伸長したときの全長３２ｍｍ、短縮したときの全長１９ｍｍに設けられ、取付孔１１への挿入後に抜け方向にある程度の抵抗を有するように形成される。なお、取付孔１１は、ピン１５を抜け止めできる穴径であり、ピン１５が回転防止溝４０に係止可能な所定の深さに設けられる。
【００３３】
図３、図６において、ピン１５を短縮したときには、このピン１５の回転防止溝４０への係止が外れ、この状態で回転部材２１を操作してスライド部材２０を円筒部材１８（第一支持機構６）から着脱可能になっている。
【００３４】
一方において、第二支持機構７は、図１に示すように略円筒状の筒状部材６０と、この筒状部材６０に螺合されるナット部材６１と、筒状部材６０に内蔵される逆止弁カートリッジ６２と、管端防食コア６３とを有している。
【００３５】
筒状部材６０のナット部材６１が装着される側の外周には雄ねじ部６５が形成され、この雄ねじ部６５に隣接するように保持部５への取付側に拡径突部６６が設けられている。筒状部材６０の雄ねじ部６５の他方側には、ナット６７が螺着可能なオネジ部６８が形成されている。筒状部材６０は、二次側の貫通穴９の内側（図１における保持部５の左側）から挿入されて拡径突部６６が保持部５に係止したときに所定位置に位置決めされ、この状態でナット６７を外側（図１における保持部５の右側）からオネジ部６８に螺合して保持部５に固定される。
【００３６】
ナット部材６１は、メータ８の下流側の端部８ｂを載置して二次側を圧着固定するために設けられ、外周側には把持部７０が放射状に設けられ、内周側には雄ねじ部６５と螺合する雌ねじ部７１が設けられている。ナット部材６１は、把持部７０を介して回転することで、雄ねじ部６５と雌ねじ部７１とが螺合して筒状部材６０に取付けられる。
【００３７】
ナット部材６１のメータ圧着側には、この水道用メータ８を密着固定可能な挟持面７１が形成され、この挟持面７３にはシールリング３４が装着されている。挟持面７１の外端部には円弧状の二次側支受部７５が水道用メータ８側に突出形成され、ナット部材６１の筒状部材６０への取付け後にこの二次側支受部７５に水道用メータ８の下流側の端部８ｂを載置して支受可能になっている。二次側支受部７５には切欠き溝部７６が形成され、この切欠き溝部７６に水道用メータ８の底部に形成されたリブ８ｃを係止可能になっている。このリブ８ｃの切欠き溝部７６への係止により、水道用メータ８の二次側支受部７５に対する回転が防止される。
【００３８】
逆止弁カートリッジ６２は筒状部材６０内に収容され、ナット部材６１を筒状部材６０に螺着したときにこれらの間の所定位置に固定される。この逆止弁カートリッジ６２により、二次側からの流体の逆止め機能が発揮される。
【００３９】
管端防食コア６３は筒状部材６０の二次側に装着され、この管端防食コア６３により筒状部材６０に接続される二次側配管７７との間にさびが発生することが回避される。
【００４０】
なお、上述したメータユニット本体１において、ベース体２は鋳物以外の各種の成形手段で形成されていてもよく、例えば、鋼材等の金属製板材をプレス絞り加工して形成されていてもよい。ベース体２に取付孔１１を設ける場合には、必ずしも突起部１０を基部３に形成する必要はなく、突起部を省略して基部３の上面に直接取付孔が形成されていてもよい。
【００４１】
また、スライド部材２０の回転防止溝４０は、直線状以外に設けられていてもよく、例えば長穴状に形成されていてもよい。さらには、ピン１５を係止可能であれば回転防止溝４０以外の態様とすることもでき、例えば、ピン状の部材とスライド部材とを凹凸嵌合させるようにしてもよい。
【００４２】
ピン１５を回転防止溝４０に係止させる場合、前記の２つの軸体５０、５１を組み合わせる以外にも、３つ以上の軸体の組み合わせによりピンを構成することもできる。さらに、ピンは回転防止溝４０に係止可能であればアンテナ構造以外に設けられていてもよく、例えば、複数の軸体同士を螺着して互いに回転させて伸縮自在に設けたり、軸体同士を折れ曲がり可能に組み合わせてピンを構成してもよい。
【００４３】
メータユニット本体１に水道用メータ８を圧着する場合、図１に示すように水道用メータ８を支受部３５、二次側支受部７５に載置し、操作ハンドル４１により回転部材２１をメータ圧着方向に前進させる方向に回転させる。この回転部材２１の回転により、スライド部材２０が回転部材２１とともに圧着方向に進み、調心状態を維持して挟持面３３、７３による密封シール性を確保しながら水道用メータ８を圧着固定できる。
【００４４】
このとき、支受部３５の回転防止溝４０に図５の状態に伸長したピン１５が係止しながらスライド部材２０が前進することで、メータ圧着方向に対する回転が防止されながらこのスライド部材２０が摺動する。しかも、ピン１５が回転防止溝４０の端部側に係止可能であり、この回転防止溝４０が、スライド部材２０が前進してメータ圧着位置を越えようとするときの移動量よりも短い長さに設けられていることで、メータ圧着時の固定位置を越えるスライド部材２０の前進操作が阻止される。このため、スライド部材２０の必要以上の前進を阻止でき、このスライド部材２０の円筒部材１８からの脱落を確実に防止可能となる。
【００４５】
メンテナンス時等において、スライド部材２０のＯリング３２を交換する場合には、回転部材２１を圧着方向と逆方向に回転させて図２の状態にし、この状態で水道用メータ８を支受部３５、二次側支受部７５から取外すようにする。続いて、図２における飾り玉５３の摘み部５８付近を摘み、回転防止溝４０からの係止が外れる図３、図６の状態まで軸体５１を軸体５０に対してスライドさせてピン１５を短縮させる。その後、回転部材２１をメータ圧着方向に回転させることにより、スライド部材２０と回転部材２１とをメータ圧着時の固定位置を越える位置まで前進させるようにすればこれらを円筒部材１８から取外すことができ、続いてスライド部材２０に装着されたＯリング３２を交換できる。
【００４６】
このようにピン１５の係止を外したときにスライド部材２０を第一支持機構６から着脱可能に設けていることで、円筒部材１８を保持部５から取外したり、円筒部材１８に接続される１次側の止水栓２８などの管路を外すことなく、Ｏリング３２交換等のメンテナンスを容易に実施できる。
【００４７】
第一支持機構６を水道用メータ８が圧着可能な元の状態に戻す場合には、上述した取外しの逆の手順によりピン１５をベース体２に取付け、スライド部材２０、回転部材２１を円筒部材１８に装着すればよい。この場合、スライド部材２０、回転部材２１の装着後にピン１５を取付孔１１に取付けてもよい。このように、ピン１５を、スライド部材２０、回転部材２１の装着の有無、及び水道用メータ８の圧着固定の有無にかかわらずベース体２に取付けできるため、既設のメータユニット本体１に対しても、水道用メータ８、スライド部材２０、回転部材２１の装着状態において、このピン１５を取付けることも可能となる。
【００４８】
図７においては、ピンの他例を示しており、このピン８０は、軸体８１、８２、飾り玉５３を有している。
図における軸体８１は、管状或は円柱状に形成され、この軸体８１の上端側には図示しない溝状部が形成されている。一方、軸体８２は円柱状に形成され、この軸体８２の下端側には溝状部に係合可能な係合突部８４が形成されている。
軸体８２は、突状部８４が溝状部８３に係合された状態で、軸止めピン８５により軸体８１に回転可能に取付けられる。これにより、ピン８０をベース体２の取付孔１１に取付けたときに、軸体８２を軸体８１に対して起こした場合にはピン８０が回転防止溝４０に係止し、一方、軸体８２を軸体８１に対して折り曲げた場合には回転防止溝４０へのピン８０の係止を外すことができる。このとき、前記ピン１５と同様に、飾り玉５３付近を把持することで簡単にピン８０を操作可能となる。図において、軸体８２は右方向に倒れるようになっているが、左方向にも倒れることが可能である。
【符号の説明】
【００４９】
１  メータユニット本体
２  ベース体
６  第一支持機構
７  第二支持機構
８  水道用メータ
８ａ  端部
１５  ピン
１８  円筒部材
１８ａ  内周面
２０  スライド部材
２１  回転部材
３１  フランジ部
３５  支受部
４０  回転防止溝
４１  操作ハンドル
４６  止め輪
５０、５１  軸体
【図１】
2015004178.tif 000003
【図２】
2015004178.tif 000004
【図３】
2015004178.tif 000005
【図４】
2015004178.tif 000006
【図５】
2015004178.tif 000007
【図６】
2015004178.tif 000008
【図７】
2015004178.tif 000009